【手続補正書】
【提出日】平成25年3月4日(2013.3.4)
【手続補正１】
【補正対象書類名】明細書
【補正対象項目名】００４９
【補正方法】変更
【補正の内容】
【００４９】
本発明に従って、蒸留蒸気と液体のストリームとからの入口ガスに適用可能な、冷却を補う外部の冷却装置が、特に入口ガスが豊富な場合に利用されてもよい。このような場合には、図２〜図５に破線で示すセパレーターセクション１１８ｆに熱および物質移動手段（または、冷却されたフィードストリーム３１ａまたは冷却された第１の部分３２ａが液体を全く含まない場合にはガス収集手段）が含まれてもよく、または図６〜図９に破線で示すセパレーター１２に熱および物質移動手段が含まれてもよい。この熱および物質移動手段は、フィンおよびチューブ型熱交換器、プレート型熱交換器、真鍮アルミニウム型熱交換器、または多重パスおよび／またはマルチサービス熱交換器を含む他の型の熱伝達装置から構成されてもよい。熱および物質移動手段は、熱および物質移動手段の１つのパスを貫流する冷却ストリーム（例えば、プロパン）と、上昇してきたストリーム３１ａ（図２、図３、図６、および図７）、またはストリーム３２ａ（図４、図５、図８、および図９）の蒸気部分との間に熱交換を提供するように構成されており、これにより冷却ストリームは、ストリーム３５において除去される液体の一部となる、下降する蒸気および凝縮された追加液体をさらに冷却する。あるいは、ストリーム３１ａがセパレーターセクション１１８ｆ（図２および図３）またはセパレーター１２（図６および図７）に入る前、またはストリーム３２ａがセパレーターセクション１１８ｆ（図４および図５）またはセパレーター１２（図８および図９）に入る前に、ストリーム３２ａ、ストリーム３３ａおよび／またはストリーム３１ａを冷却するために、冷却ストリームと共に１つ以上の従来のガス冷却装置が用いられてもよい。
【手続補正２】
【補正対象書類名】明細書
【補正対象項目名】００５３
【補正方法】変更
【補正の内容】
【００５３】
本発明の図２、図３、図６、および図７に示す実施形態における、より好ましくない選択は、冷却された第１の部分３２ａにセパレーター器を配置すること、冷却された第２の部分３３ａにセパレーター器を配置すること、その内部で分離された蒸気ストリームを合流して蒸気ストリーム３４を形成すること、およびその内部で分離された液体ストリームを合流して液体ストリーム３５を形成することである。本発明の別のより好ましくない選択は、フィード冷却セクション１１８ａ内部の個々の熱交換手段、においてストリーム３７を冷却し（ストリーム３７とストリーム３６またはストリーム３３ａとを合流して、合流したストリーム３８を形成するのではなく）、冷却されたストリームを個々の膨張デバイス中で膨張し、そして膨張させたストリームを吸収セクション１１８ｄの中間領域に供給することである。
【手続補正３】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重質の炭化水素成分を含有するガスストリームを、揮発性の残留ガス留分と、前記Ｃ２分の大部分、前記Ｃ３成分の大部分、および前記より重質の炭化水素成分の大部分を含有するか、または前記Ｃ３分の大部分、および前記より重質の炭化水素成分の大部分を含有する相対的に揮発性が低い留分とに分離するための方法であって、
（１）前記ガスストリームを第１および第２の部分に分離することと、
（２）前記第１の部分を冷却することと、
（３）前記第２の部分を冷却することと、
（４）前記冷却された第１の部分と前記冷却された第２の部分とを合流し、冷却されたガスストリームを形成することと、
（５）前記冷却されたガスストリームを、第１および第２のストリームに分離することと、
（６）前記第１のストリームを冷却し、その実質的な全てを凝縮し、続いて、より低圧に膨張させてさらに冷却することと、
（７）前記膨張させて冷却した第１のストリームを、処理組立体に収容された第１の吸収手段と第２の吸収手段との間にフィードとして供給し、前記第１の吸収手段を前記第２の吸収手段よりも上方に配置することと、
（８）前記第２のストリームを、前記より低圧に膨張させて、底部フィードとして前記第２の吸収手段に供給することと、
（９）前記第１の吸収手段の上部領域から蒸留蒸気ストリームを収集し、加熱し、続いて、前記処理組立体から前記加熱した蒸留蒸気ストリームを排出することと、
（１０）前記加熱された蒸留蒸気ストリームをより高圧に圧縮し、続いて、前記揮発性の残留ガス留分と圧縮再循環ストリームとに分離することと、
（１１）前記圧縮再循環ストリームを冷却し、その実質的な全てを凝縮することと、
（１２）前記実質的に凝縮された圧縮再循環ストリームを、前記より低圧に膨張させて、頂部へのフィードとして前記第１の吸収手段に供給することと、
（１３）前記蒸留蒸気ストリームの前記加熱を、前記処理組立体に収容された１つ以上の熱交換手段により達成し、これにより、工程（２）、（６）、および（１１）における冷却の少なくとも一部を供給することと、
（１４）前記第２の吸収手段の下部領域から蒸留液体ストリームを収集し、前記処理組立体に収容された熱および物質移動手段により加熱し、これにより、、前記蒸留液体ストリームから出たより高い揮発性成分を同時にストリッピングし、続いて、前記加熱されてストリッピングされた蒸留液体ストリームを、前記相対的に揮発性が低い留分として前記処理組立体から放出しながら工程（３）における冷却の少なくとも一部を供給することと、
（１５）前記第１および第２の吸収手段に対する前記フィードストリームの量および温度を、前記相対的に揮発性が低い留分中の成分の大部分が回収されるように温度に前記第１の吸収手段の前記上部領域の温度を維持するために有効にすることと、
を含む、方法。
【請求項２】
（ａ）前記冷却された第１の部分と前記冷却された第２の部分とを合流し、部分的に凝縮されたガスストリームを形成し、
（ｂ）前記部分的に凝縮されたガスストリームを分離手段に供給し、そこで分離することによって、蒸気ストリームと少なくとも１つの液体ストリームとを提供し、
（ｃ）前記蒸気ストリームを第１および第２のストリームに分離し、
（ｄ）前記少なくとも１つの液体ストリームの少なくとも一部を、前記より低圧に膨張させて、第２の底部フィードとして前記第２の吸収手段に供給する、
請求項１に記載の方法。
【請求項３】
（ａ）前記第１のストリームが、合流したストリームを形成するために、少なくとも１つの液体ストリームの少なくとも一部と合流し、
（ｂ）前記合流したストリームを冷却し、その実質的な全てを凝縮し、続いて、より低圧に膨張させてさらに冷却し、
（ｃ）前記膨張させて冷却したストリームを、処理アセムブリー内に収容された前記第１および第２の吸収手段の間にフィードとして供給し、
（ｄ）前記少なくとも１つの液体ストリームの残りの全ての部分を、前記より低圧で膨張させ、第２の底部フィードとして前記第２の吸収手段に供給する、
請求項２に記載の方法。
【請求項４】
（ａ）前記第１の部分を冷却し、より低圧に膨張させ、
（ｂ）前記第２の部分を、その実質的な全てを凝縮するために冷却し、前記より低圧に膨張させ、それにより、さらに冷却し、
（ｃ）前記膨張させて冷却した第２の部分を、前記第１および第２の吸収手段の間にフィードとして供給し、
（ｄ）前記膨張させて冷却した第１の部分を、前記第２の吸収手段に対して底部フィードとして供給する、
請求項１に記載の方法。
【請求項５】
（ａ）前記第１の部分を、部分的に凝縮するよう十分に冷却し、
（ｂ）前記部分的に凝縮された第１の部分を、分離手段として供給し、蒸気ストリームと少なくとも１つの液体ストリームを提供するためにその中で分離し、
（ｃ）前記蒸気ストリームが、前記より低圧に膨張し、前記第２の吸収手段に対して第２の底部フィードとして供給し、
（ｄ）前記少なくとも１つの液体ストリームの少なくとも一部を、前記より低圧に膨張させ、前記第２の吸収手段に対して第２の底部フィードとして供給する、
請求項４に記載の方法。
【請求項６】
（ａ）前記第２の部分を冷却し、合流したストリームを形成するために前記少なくとも１つの液体ストリームの少なくとも一部に合流し、
（ｂ）前記合流したストリームを、その実質的な全てを凝縮するために冷却し、より低圧に膨張させ、それにより、さらに冷却し、
（ｃ）前記膨張させて冷却した合流ストリームを、前記第１および第２の吸収手段の間にフィードとして供給し、
（ｄ）前記少なくとも１つの液体ストリームの残りの全ての部分を、前記より低圧に膨張し、前記第２の吸収手段に対して第２の底部フィードとして供給する、
請求項５に記載の方法。
【請求項７】
（１）前記熱および物質移動手段を上部および下部領域に配置し、
（２）前記膨張された前記少なくとも１つの液体ストリームの前記膨張した少なくとも一部または残りの全ての部分を、前記処理組立体に供給され、前記熱および物質移動手段の前記上部領域と前記下部領域との間に入る、請求項２、３、５または６に記載の方法。
【請求項８】
前記分離手段を記処理組立体に収容する、請求項２、３、５、６、または７に記載の方法。
【請求項９】
（１）気体収集手段を前記処理組立体に収容し、
（２）外部の冷却媒体用の１つ以上のパスを含む追加的な熱および物質移動手段を、前記ガス収集手段内部に含み、
（３）前記冷却されたガスストリームを前記気体収集手段に供給し、前記外部の冷却媒体によりさらに冷却される前記追加的な熱および物質移動手段に導き、
（４）前記さらに冷却されたガスストリームを、前記第１のストリームと第２のストリームとに分離する、請求項１に記載の方法。
【請求項１０】
（１）気体収集手段を前記処理組立体に収容し、
（２）外部の冷却媒体用の１つ以上のパスを含む追加的な熱および物質移動手段を、前記気体収集手段内部に含み、 
（３）前記冷却された第１の部分を前記気体収集手段に供給し、前記外部の冷却媒体によりさらに冷却される前記追加的な熱および物質移動手段に導き、
（４）前記さらに冷却された第１の部分を、前記より低圧に膨張し、続いて、前記底部フィードとして前記第２の吸収手段に供給する、請求項４に記載の方法。
【請求項１１】
（１）外部の冷却媒体用の１つ以上のパスを含む追加的な熱および物質移動手段を、前記分離手段内部に含み、
（２）前記蒸気ストリームを、前記外部の冷却媒体により冷却される前記追加的な熱および物質移動手段に導き、追加的な凝縮物を形成し、
（３）前記凝縮物を、前記そこで分離された少なくとも１つの液体ストリームの一部とする、請求項２、３、５、６、７、または８に記載の方法。 
【請求項１２】
前記熱および物質移動手段は、前記蒸留液体ストリームから出た前記より高い揮発性成分を前記ストリッピングするための、前記第２の部分により供給される加熱を補う外部の加熱媒体に通じる１つ以上のパスを含む、請求項１、２、３、４、５、６、７、８、９、１０または１１に記載の方法。
【請求項１３】
メタン、Ｃ２成分、Ｃ３成分およびより重質の炭化水素成分を含有するガスストリームを、揮発性の残留ガス留分と、前記Ｃ２成分の大部分、前記Ｃ３成分の大部分、および前記より重質の炭化水素成分の大部分を含有するか、または、前記Ｃ３成分の大部分、および前記より重質の炭化水素成分の大部分を含有する相対的に揮発性が低い留分とに分離するための装置であって、
（１）前記ガスストリームを第１の部分と第２の部分とに分離する第１の分離手段と、
（２）前記第１の部分を受け入れ、それを冷却する、前記第１の分離手段に接続されており、かつ処理組立体に収容された熱交換手段と、
（３）前記第２の部分を受け入れ、それを冷却する、前記第１の分離手段に接続されており、かつ前記処理組立体に収容された熱および物質移動手段と、
（４）前記熱交換手段並びに前記熱および物質移動手段に接続されており、前記冷却された第１の部分および前記冷却された第２の部分を受け入れ、冷却されたガスストリームを形成する合流手段と、
（５）前記合流手段に接続されており、前記冷却されたガスストリームを受け入れ、それを第１および第２のストリームに分離する第２の分離手段と、
（６）前記第２の分離手段にさらに接続されており、前記第１のストリームを受け入れ、それを実質的に凝縮するように十分に冷却する前記熱交換手段と、
（７）前記熱交換手段に接続されており、前記実質的に凝縮された第１のストリームを受け入れ、それをより低圧に膨張する第１の膨張手段と、
（８）前記第１の膨張手段に接続され、かつ前記処理組立体に収容されており、それらの間のフィードとして、前記膨張させて冷却した第１のストリームを受け入れる第１および第２の吸収手段であって、前記第１の吸収手段が前記第２の吸収手段よりも上方に配置される吸収手段と、
（９）前記第２の分離手段に接続されており、前記第２のストリームを受け入れ、それを前記より低圧に膨張する第２の膨張手段であって、底部フィードとして前記膨張された第２のストリームをそこに供給するように、前記第２の吸収手段にさらに接続された第２の膨張手段と、
（１０）前記第１の吸収手段に接続され、かつ前記処理組立体に収容されており、前記第１の吸収手段の上部領域からの蒸留蒸気ストリームを受け入れる蒸気収集手段と、
（１１）前記蒸気収集手段にさらに接続されており、前記蒸留蒸気ストリームを受け入れ、それを加熱し、工程（２）および（６）における冷却の少なくとも一部を供給し、続いて、前記処理組立体から前記加熱した蒸留蒸気ストリームを排出する前記熱交換手段と、
（１２）前記加熱した蒸留蒸気ストリームを受け入れ、それをより高圧に圧縮するための前記処理組立体と接続する圧縮手段と、
（１３）前記圧縮した蒸留蒸気ストリームを受け入れ、それを冷却するための前記圧縮手段に接続される冷却手段と、
（１４）前記冷却圧縮蒸留蒸気ストリームを受け入れ、それを前記揮発性の残留ガス留分および圧縮再循環ストリームとに、分離するための前記冷却手段に接続される第３の分離手段と、
（１５）前記圧縮再循環ストリームを受け入れ、それを実質的に凝縮するように十分に冷却し、それによって、工程（１１）における加熱の少なくとも一部を供給する、前記第３の分離手段へと更に接続される、前記熱交換手段と、
（１６）前記熱交換手段に接続されており、前記実質的に凝縮された圧縮再循環ストリームを受け入れ、それを前記より低圧に膨張する第３の膨張手段であって、前記第１の吸収手段にさらに接続されており、頂部へのフィードとして前記膨張された再循環ストリームをそこに供給する第３の膨張手段と、
（１７）前記第２の吸収手段に接続され、かつ前記処理組立体に収容されており、前記第２の吸収手段の下部領域からの蒸留液体ストリームを受け入れる液体収集手段と、
（１８）前記液体収集手段にさらに接続されており、前記蒸留液体ストリームを受け入れ、それを加熱し、前記蒸留液体ストリームから出たより高い揮発性成分を同時にストリッピングし、続いて、前記加熱されてストリッピングされた蒸留液体ストリームを、前記相対的に揮発性が低い留分として前記処理組立体から放出しつつ工程（３）における冷却の少なくとも一部を供給する前記熱および物質移動手段と、
（１９）前記第１および第２の吸収手段に対する前記フィードストリームの量および温度の調節に適応し、前記相対的に揮発性が低い留分中の成分の大部分が回収されるように温度に前記第１の吸収手段の前記上部領域の温度を維持する制御手段と、を備えた、装置。
【請求項１４】
（ａ）前記 結合手段を、前記第１の冷却部分および前記第２の冷却部分を受け入れ、凝縮されたガスストリームを部分的に形成するよう、前記熱交換手段並びに前記熱および物質移動手段に接続し、
（ｂ）分離手段を、前記部分的に凝縮されたガスストリームを受け入れ、それを蒸気ストリームおよび少なくとも１つの液体ストリームに分離するよう、前記結合方法に接続し、
（ｃ）前記第２の分離手段を、前記蒸気ストリームを受け入れ、第１および第２のストリームに分離するよう、前記分離手段に接続し、
（ｄ）第４の膨張手段を、前記少なくとも１つの液体ストリームの少なくとも一部を受け入れ、前記より低圧に膨張されるよう、前記分離手段に接続され、前記第４の膨張手段を、第２の底部フィードとして、前記膨張液体ストリームを供給するための前記第２の吸収手段に接続する、
請求項１３に記載の装置。
【請求項１５】
（ａ）前記第１のストリームおよび少なくとも１つの液体ストリームの少なくとも一部を受け入れ、接続されたストリームを形成するよう、前記第２の分離手段および前記分離手段に接続さする、更なる結合手段と、
（ｂ）前記熱交換手段を、前記 結合ストリームを受け入れ、それを実質的に凝縮するために十分に冷却するよう、前記更なる結合手段に更に接続し、
（ｃ）前記第１の膨張手段を、前記実質的に凝縮する 結合ストリームを受け入れ、より低圧に膨張するよう、前記熱交換手段に接続し、
（ｄ）前記第１および第２の吸収手段を、前記第１および第２の吸収手段の間に前記膨張させて冷却した合流ストリームとして受け入れるよう、前記第１の膨張手段に接続し、
（ｅ）前記第４の膨張手段を、前記少なくとも１つの液体ストリームの残りの全ての部分を受け入れ、前記より低圧に膨張するよう、前記分離手段に接続し、前記第４の膨張手段を、第２の底部フィードとして前記膨張させた液体ストリームを供給するための前記第２の吸収手段として更に接続する、
請求項１４に記載の装置。
【請求項１６】
（ａ）前記熱交換手段を、前記冷却する第２の部分を受け入れ、実質的に凝縮するために更に十分に冷却するよう、前記加熱および物質輸送手段に接続し、
（ｂ）前記第一膨張手段を、前記実質的に凝縮した第２の部分を受け入れ、より低圧に膨張させるよう、前記熱交換手段に接続し、
（ｃ）前記第１および第２の吸収手段を、前記第１および第２の吸収手段の間のフィードとして前記膨張させ冷却する第２の部分を受け入れるよう、前記第１の膨張手段に接続し、
（ｄ）前記第２の膨張手段を、前記冷却した第１の部分を受け入れ、前記より低圧に膨張するよう、前記熱交換手段に接続し、前記第２の膨張手段を、底部フィードとして前記冷却した第１の部分を供給するよう、前記第２の吸収手段に接続する、
請求項１３に記載の装置。
【請求項１７】
（ａ）前記熱交換手段を、処理組立体に収容し、前記第１の部分を受け入れる、それを部分的に凝縮するために十分に冷却するよう、前記第１の分割手段に対して接続し、
（ｂ）分離手段を、前記部分的に凝縮した第１の部分を受け入れ、蒸気ストリームと少なくとも１つの液体ストリームに分離する前記熱交換手段に接続し、
（ｃ）前記第２の膨張手段を、前記蒸気ストリームを受け入れ、前記より低圧に膨張するよう、前記分離手段に接続し、前記第２の膨張手段を、第１の底部フィードとして前記膨張された蒸気ストリームを供給するよう、第２の吸収手段にさらに接続し、
（ｄ）第４の膨張手段を、前記少なくとも１つの液体ストリームの少なくとも一部を受け入れ、前記より低圧に膨張するよう、前記分離手段に接続し、前記第４の膨張手段を、第２の底部フィードとして前記膨張された液体ストリームを供給するよう、前記第２の吸収手段にさらに接続する、
請求項１６に記載の装置。
【請求項１８】
（ａ）更なる合流手段を、前記第２の冷却部分および前記少なくとも１つの液体ストリームの少なくとも一部を受け入れ、合流ストリームを形成するよう、前記熱および物質輸送手段および前記分離手段に接続し、
（ｂ）前記熱交換手段を、前記合流ストリームを受け入れ、それを実質的に凝縮するように十分に冷却するよう、前記更なる合流手段に接続し、
（ｃ）前記第１の膨張手段を、前記実質的に凝縮する合流ストリームを受け入れ、より低圧で膨張するよう、前記熱交換手段に接続し、
（ｄ）前記第１および第２の吸収手段を、前記第１および第２の吸収手段の間にフィードとして前記膨張された冷却結合ストリームを受け入れるよう、前記第１の膨張手段に接続し、
（ｅ）前記第４の膨張手段を、前記少なくとも１つの液体ストリームの残りの全ての部分を受け入れ、前記より低圧にそれを膨張するよう、前記分離手段に接続し、前記第４の膨張手段を、第２の底部フィードとして前記膨張液体ストリームを供給するよう、前記第２の吸収手段に更に接続される、
請求項１７に記載の装置。
【請求項１９】
（１）前記熱および物質移動手段が上部および下部領域に配置されており、
（２）前記処理組立体が前記第３の膨張手段に接続されており、前記少なくとも１つの液体ストリームの少なくとも一部もしくは前記膨張された一部を受け入れ、それを前記熱および物質移動手段の前記上部領域と前記下部領域との間に導く、請求項１４、１５、１７または１８に記載の装置。
【請求項２０】
前記分離手段を、前記処理組立体に収容する、請求項１４、１５、１７、１８または１９に記載の装置。
【請求項２１】
（１）気体収集手段が前記処理組立体に収容されており、
（２）外部の冷却媒体用の１つ以上のパスを含む追加的な熱および物質移動手段が、前記気体収集手段内部に含まれており、
（３）前記気体収集手段が前記合流手段に接続されており、前記冷却されたガスストリームを受け入れ、それを前記外部の冷却媒体によりさらに冷却される前記追加的な熱および物質移動手段に導き、
（４）前記第２の分離手段が前記気体収集手段に接続するように適応し、前記さらに冷却されたガスストリームを受け入れ、それを前記第１のストリームと第２のストリームとに分離する、請求項１３に記載の装置。
【請求項２２】
（１）気体収集手段が前記処理組立体に収容されており、
（２）外部の冷却媒体用の１つ以上のパスを含む追加的な熱および物質移動手段が、前記気体収集手段内部に含まれており、
（３）前記気体収集手段が前記熱交換手段に接続されており、前記冷却された第１の部分を受け入れ、それを前記外部の冷却媒体によりさらに冷却される前記追加的な熱および物質移動手段に導き、
（４）前記第２の膨張手段が前記収集手段に接続するように適応し、前記さらに冷却された第１の部分を受け入れ、それを前記より低圧に膨張し、前記第２の吸収手段にさらに接続されており、前記膨張されてさらに冷却された第１の部分を前記底部フィードとしてそこに供給する、請求項１６に記載の装置。
【請求項２３】
（１）外部の冷却媒体用の１つ以上のパスを含む追加的な熱および物質移動手段が、前記分離手段内部に含まれており、
（２）前記蒸気ストリームを、前記外部の冷却媒体により冷却される前記追加的な熱および物質移動手段に導き、追加的な凝縮物を形成し、
（３）前記凝縮物を、前記そこで分離された少なくとも１つの液体ストリームの一部とする、
請求項１４、１５、１７、１８、１９、２０、２１、または２２に記載の装置。
【請求項２４】
前記熱および物質移動手段は、前記蒸留液体ストリームから出た前記より高い揮発性成分を前記ストリッピングするために、前記第２の部分により供給される加熱を補う外部の加熱媒体用の１つ以上のパスを含む、請求項１３、１４、１５、１６、１７、１８、１９、２０、２１、２２、または２３に記載の装置。